(57)【要約】【課題】操作部がプラント部からの情報を得ることの認証を容易に確保することができる課金サービス管理システムを得る。【解決手段】プラント４と、プラント４の情報を得るために要求を行うエンドユーザ２と、エンドユーザ２が得た情報に対する課金計算を行う課金サービス管理システム１１と、エンドユーザ２がプラント４から情報を得ることの認証を行い課金サービス管理システム１１に登録するセンタ３とが広域ネットワーク５にて接続され、センタ３は、エンドユーザ２の要求をプラント４へ指示しかつ要求の指示を行ったことを課金サービス管理システム１１に伝達しかつプラント４から情報を入手しその得た情報をエンドユーザ２に送信する。【選択図】        図１
2004348304.tif 000002
【特許請求の範囲】
【請求項１】
プラント部と、上記プラント部の情報を得るために要求を行う操作部と、上記操作部が得た情報に対する課金計算を行う課金部と、上記操作部が上記プラント部から情報を得ることの認証を行い上記課金部に登録するセンタ部とがネットワークにて接続されていることを特徴とする課金サービス管理システム。
【請求項２】
プラント部と、上記プラント部の情報を得るために要求を行う操作部と、上記操作部が得た情報に対する課金計算を行う課金部と、上記操作部の要求を上記プラント部へ指示しかつ上記要求の指示を行ったことを上記課金部に伝達しかつ上記プラント部から情報を入手しその得た情報を上記操作部に送信するセンタ部とがネットワークにて接続されていることを特徴とする課金サービス管理システム。
【請求項３】
上記課金部は、上記センタ部から上記操作部の要求の開始指示および終了指示の情報を得て料金を算出することを特徴とする請求項２に記載の課金サービス管理システム。
【請求項４】
上記課金部は、あらかじめ設定されている、接続時間と料金との関係、または／および、情報量と料金との関係、または／および、情報種別と料金との関係を用いて料金の算出を行うことを特徴とする請求項３に記載の課金サービス管理システム。
【請求項５】
上記操作部が複数存在する場合、上記課金部は上記操作部ごとに上記要求の開始指示および終了指示の情報を上記センタ部から得て、上記操作部ごとに料金の算出を行うことを特徴とする請求項３または請求項４に記載の課金サービス管理システム。
【請求項６】
上記課金部は、あらかじめ設定されている、上記操作部数と上記操作部１台当たりの料金との関係を加味して料金算出を行うことを特徴とする請求項５に記載の課金サービス管理システム。
【請求項７】
上記操作部が情報を得ようとしているプラント部が複数存在する場合、上記課金部は上記プラント部ごとに上記要求の開始指示および終了指示の情報を上記センタ部から得て、上記プラント部ごとに料金の算出を行うことを特徴とする請求項３または請求項４に記載の課金サービス管理システム。
【請求項８】
上記課金部は、あらかじめ設定されている、上記プラント部数と上記プラント部１台当たりの料金との関係を加味して料金算出を行うことを特徴とする請求項７に記載の課金サービス管理システム。
【発明の詳細な説明】
【０００１】
【発明の属する技術分野】
この発明は、インターネットを介したプラント監視保守やシステム管理などのリモートで監視を行う有料・無料サービス等の課金サービスの管理を行う課金サービス管理システムに関するものである。
【０００２】
【従来の技術】
従来のＷｅｂを使ってリモートからのプラントの監視を行うものは、ＷＷＷサーバやインターネットの汎用の技術を用いることにより、かつては専用の高価な装置が必要であった遠隔監視・操作システムを安価に構築している。そして、パソコンなどの汎用の端末から監視や操作ができ、また、料金請求／回収システムを付加することで、料金管理を行っている（例えば、特許文献１、および特許文献２参照）。
【０００３】
【特許文献１】
特開２００２−１６３３９号公報（段落００１８、段落００１９、図１）
【特許文献２】
特許第３３２２６６８号公報（段落００２９、図１）
【０００４】
【発明が解決しようとする課題】
従来のインターネットを介したＷｅｂベースの課金サービスでは、プラントを保有するエンドユーザが、Ｗｅｂを使用してエンドユーザの保有するプラントをリモート監視することはできた。そして、１つのプラントに対しエンドユーザが複数存在したとしても、プラントにあらかじめ関係があるエンドユーザのみが情報の提供を求めているため、エンドユーザがそのプラントに対して情報提供を行うための認証を必要としていなかった。
【０００５】
しかしながら、情報やシステムが多様化し、エンドユーザも多岐に渡るようになった昨今では、従来の課金サービス管理システムにおいては、新たなエンドユーザがＷｅｂからエンドユーザが保有するプラントの情報をセンタに登録する必要性が生じており、従来ではそのことができず、情報の提供はもちろんのこと、有料や無料のサービスの実行管理もできないため、センタはエンドユーザに対して、適正なサービス料金を徴収することができないという問題点があった。
【０００６】
また、情報の要求（監視制御等）の一つの実行ごとに、どこの端末からの要求か、どんな操作を行ったかなどの履歴の管理ができないので、例えば一操作ごとに課金を行う情報の要求（監視制御等）の有料サービスを行うことができないという問題点があった。
【０００７】
この発明は上記のような問題点を解決するためになされたもので、サービスの認証を確認することができ、かつ、情報要求の操作履歴を管理することでその情報の操作履歴を用いて料金を計算することができる課金サービス管理システムを得ることを目的とする。
【０００８】
【課題を解決するための手段】
この発明に係る課金サービス管理システムは、プラント部と、プラント部の情報を得るために要求を行う操作部と、操作部が得た情報に対する課金計算を行う課金部と、操作部がプラント部から情報を得ることの認証を行い課金部に登録するセンタ部とがネットワークにて接続されているものである。
【０００９】
【発明の実施の形態】
実施の形態１．
図１はこの発明の実施の形態１の課金サービス管理システムの構成を示す図である。図２ないし図４は図１に示した課金サービス管理システムの動作を示すフローチャートである。図１において、課金サービス管理システムは課金サービスを管理している課金部としての課金サービス管理サーバ１１と、Ｗｅｂブラウザ等の機能を備えたＰＣ（パーソナルコンピュータ）を有し、プラント部としてのプラント４に情報を要求する操作部としてのエンドユーザ２とを備えている。
【００１０】
さらに、課金サービス管理サーバ１１およびエンドユーザ２と、稼動中のプラント４との間の情報のやり取り、およびエンドユーザ２とプラント４との認証の仲介を行う機能を有するセンタ部としてのセンタ３とを備え、課金サービス管理サーバ１１、エンドユーザ２、センタ３、及びプラント４はインターネットなどの広域ネットワーク５にて接続されている。
【００１１】
また、プラント４には、蓄積情報を保持する機能を有するプラントサーバ４１と、リアルタイム情報を保持する機能を有するプラントコントローラ４２と、これらプラントサーバ４１およびプラントコントローラ４２をプラント４内で接続する機能を有するプラントネットワーク４３とを備える。
【００１２】
また、センタ３には、プラント４のプラントサーバ４ｌに蓄積された蓄積情報、プラントコントローラ４２が得ているリアルタイム情報、エンドユーザ２に対するサービス情報を保持しているセンタデータベース３１と、様々なサービスを管理しているセンタサーバ３２とを備えている。
【００１３】
図２および図３は図１に示した課金サービス管理システムの動作を説明するためのフローチャートを示した図で、各図においては紙面上左側から、エンドユーザ２、課金サービス管理サーバ１１、センタ３、プラント４の動作を縦方向に区別して表示している。
【００１４】
つぎに、上記のように構成された実施の形態１の課金サービス管理システムの動作について図２および図３を交えて説明する。まずエンドユーザ２は、課金サービス管理サーバ１１に課金サービス情報表示の依頼を行う（図２のステップ２１０１）。次に課金サービス管理サーバ１１は、エンドユーザ２から課金サービス情報表示の依頼を取得する（図２のステップ１１０１）。
【００１５】
次に課金サービス管理サーバ１１は、依頼をしたエンドユーザ２の登録の有無を確認する（図２のステップ１１０２）。そして、エンドユーザ２が登録されている場合（登録済）には、図３のステップ１１０７に移る。また、エンドユーザ２が登録されていない場合（未登録）には、エンドユーザ２に課金サービス管理サーバ１１より、エンドユーザとして登録するための情報が表示される（図２のステップ２１０２）。次にエンドユーザ２は、エンドユーザ２が操作行うプラント情報の登録を課金サービス管理サーバ１１に依頼する（図２のステップ２１０３）。
【００１６】
次に課金サービス管理サーバ１１は、エンドユーザ２が操作するプラント情報の登録を受諾する（図２のステップ１１０３）。次に課金サービス管理サーバ１１は、センタサーバ３２にエンドユーザ２が操作するプラント情報登録を依頼する（図２のステップ１１０４）。次にセンタサーバ３２は、課金サービス管理サーバ１１からのエンドユーザ２が操作するプラント情報の登録を受諾する（図２のステップ３１０１）。
【００１７】
次にセンタサーバ３２は、プラントサーバ４２へエンドユーザ２が操作するプラント情報の登録を依頼する（図２のステップ３１０２）。次にプラントサーバ４２は、エンドユーザ２が操作するプラント情報の登録依頼を受諾する（図２のステップ４１０１）。次にプラントサーバ４２は、エンドユーザ２が操作するプラント情報の登録完了を、センタサーバ３２に通知する（図２のステップ４１０２）。
【００１８】
次にセンタサーバ３２は、プラントサーバ４２からのエンドユーザ２が操作するプラント情報の登録完了通知を受諾する（図２のステップ３１０３）。次にセンタサーバ３２は、プラントサーバ４２からのエンドユーザ２が操作するプラント情報の登録完了を課金サービス管理サーバ１１へ通知する（図２のステップ３１０４）。次に課金サービス管理サーバ１１は、センタサーバ３２からのエンドユーザ２が操作するプラント情報の登録完了通知を受諾する（図２のステップ１１０５）。
【００１９】
次に課金サービス管理サーバ１１は、エンドユーザ２へエンドユーザ２が操作するプラント情報の登録完了を通知する（図２のステップ１１０６）。次にエンドユーザ２は、エンドユーザ２が操作するプラント登録情報を変更するか否かを判断する（図２のステップ２１０４）。そして、登録情報を変更する場合には、図２のステップ２１０３に戻り上記に示した動作を行う。また、エンドユーザ２が操作するプラント情報の登録変更しない場合には、エンドユーザ２は課金サービス情報表示を依頼する（図３のステップ２１０５）。
【００２０】
次に課金サービス管理サーバ１１は、エンドユーザ２の課金サービス情報表示の依頼を受諾する（図３のステップ１１０７）。次に課金サービス管理サーバ１１は、エンドユーザ２へ課金サービス情報表示依頼の結果を通知する（図３のステップ１１０８）。次にエンドユーザ２は、課金サービス管理サーバ１１からの課金サービス情報表示依頼の結果通知を受諾する（図３のステップ２１０６）。
【００２１】
次にエンドユーザ２は、エンドユーザ２が操作するプラント登録情報の変更を行うか、課金サービス情報表示終了するかの判断を行う（図３のステップ２１０７）。そして、プラント登録情報の変更を行う場合には、図２のステップ２１０３に戻り上記に示した動作を行う。
【００２２】
次に、課金サービス情報表示終了する場合には、課金サービス管理サーバ１１に課金サービス情報表示終了を依頼する。次に課金サービス管理サーバ１１は、エンドユーザ２より課金サービス情報表示終了を受諾する（図３のステップ１１０９）。次に課金サービス管理サーバ１１は、エンドユーザ２に課金サービス情報表示終了を通知する（図３のステップ１１１０）。次にエンドユーザ２は、課金サービス管理サーバ１１より課金サービス情報表示終了の通知を受諾する（図３のステップ２１０８）。
【００２３】
上記のように構成された実施の形態１の課金サービス管理システムによれば、エンドユーザ２は、課金サービス管理サーバ１１にエンドユーザ２が操作するプラント４の情報を得るため認証をセンタ３を用いて課金サービス管理サーバ１１に登録することができる。また、登録されると、課金サービス管理サーバ１１より、エンドユーザ２が操作するプラント４の操作情報（課金サービス情報）を入手することができる。
【００２４】
尚、この実施の形態１においては説明の都合上、エンドユーザが１台、プラントが１台の場合を示したがこれに限られることは無く、以下の実施の形態において示すが、複数のエンドユーザ、また、複数のプラントにおいて実施することができることはいうまでもない。但し、例えばシステムの入れ替えなどの過渡期にともない、上記実施の形態１に示すようにエンドユーザが１台およびプラントが１台の場合においても認証を取得する必要が生じる場合があることは言うまでもない。
【００２５】
実施の形態２．
図４はこの発明の実施の形態２に係る課金サービス管理システムの構成を示す図である。図において、構成上は上記実施の形態１と同様の構成を有するものであるため、上記実施の形態１と同様の部分は同一符号を付して説明を省略する。図５ないし図７は図４に示した課金サービス管理システムの動作を説明するためのフローチャートを示した図で、各図においては紙面上左側から、エンドユーザ２、課金サービス管理サーバ１１、センタ３、プラント４の動作を縦方向に区別して表示している。
【００２６】
上記の実施の形態１では、課金サービス管理サーバ１１がセンタ３を介してエンドユーザ２からのエンドユーザ２が操作するプラント４の情報を登録し、操作情報（課金サービス情報）を入手するものを示したが、この実施の形態２では、エンドユーザ２が行うプラント４へのすべての情報のやりとりをセンタサーバ３２経由で行う場合の、課金サービス管理サーバ１１が、課金対象であるエンドユーザ２とプラント４との情報のやり取りの課金管理について説明する。
【００２７】
次に、上記のように構成された実施の形態２に係る課金サービス管理システムの動作について図５ないし図７を交えて説明する。まずエンドユーザ２は、センタサーバ３２にプラント４の情報操作の許可を依頼する（図５のステップ２２０１）。次にセンタサーバ３２は、プラント４の情報操作の許可依頼を受諾する（図５のステップ３２０１）。次にセンタサーバ３２は、プラント４にエンドユーザ２からのプラント４の情報操作の許可を依頼する（図５のステップ３２０２）。
【００２８】
次にプラント４は、センタサーバ３２を経由したエンドユーザ２からのプラント４の情報操作の許可依頼を受諾する（図５のステップ４２０１）。次にプラント４は、エンドユーザ２からのプラント４の情報操作の許可をセンタサーバ３２に通知する（図５のステップ４２０２）。次にセンタサーバ３２は、プラント４からの情報操作の許可通知を受諾する（図５のステップ３２０３）。次にセンタサーバ３２は、課金サービス管理サーバ１１にエンドユーザ２からのプラント４の情報操作の許可を通知する（図５のステップ３２０４）。
【００２９】
次に課金サービス管理サーバ１１は、センタサーバ３２より、プラント４からのエンドユーザ２に対する情報操作の許可通知（開始指示に相当）を受諾して、課金サービス情報の監視を開始する（図５のステップ１２０１）。次にセンタサーバ３２は、プラント４からの情報操作の許可をエンドユーザ２に通知する（図５のステップ３２０５）。次にエンドユーザ２は、センタサーバ３２からの情報操作の許可通知を受諾する（図５のステップ２２０２）。
【００３０】
次にエンドユーザ２は、センタサーバ３２にプラント４の情報操作を依頼する（図６のステップ２２０３）。次にセンタサーバ３２は、エンドユーザ２からのプラント４の情報操作依頼を受諾する（図６のステップ３２０６）。次に、センタサーバ３２は、エンドユーザ２からのプラント４の情報操作依頼をプラント４に依頼する（図６のステップ３２０７）。次にプラント４は、センタサーバ３２からの情報操作の依頼を受諾する（図６のステップ４２０３）。
【００３１】
次にプラント４は、センタサーバ３２からの情報操作依頼を行い、情報操作の結果をセンタサーバ３２に通知する（図６のステップ４２０４）。次にセンタサーバ３２はプラント４からの情報操作の結果通知を受諾する（図６のステップ３２０８）。次にセンタサーバ３２は、エンドユーザ２にプラント４からの情報操作の結果を通知する（図６のステップ３２０９）。次にエンドユーザ２は、エンドユーザ２が操作するプラント４の情報操作を継続するか否かを判断する（図６のステップ２２０４）。
【００３２】
そして、プラント４の情報操作を継続する場合（ＹＥＳ）には、図６のステップ２２０３に戻り上記に示した動作を行う。また、プラント４の情報操作を終了する場合（ＮＯ）には、センタサーバ３２にプラント４の情報操作の終了を依頼する（図６のステップ２２０５）。次にセンタサーバ３２は、エンドユーザ２からのプラント４の情報操作の終了依頼を受諾する（図６のステップ３２１０）。次にセンタサーバ３２は、プラント４に情報操作の終了を依頼する（図６のステップ３２１１）。
【００３３】
次にプラント４は、センタサーバ３２からの情報操作の終了依頼を受諾する（図６のステップ４２０５）。次にプラント４は、プラント４の情報操作の終了をセンタサーバ３２に通知する（図６のステップ４２０２）。次にセンタサーバ３２は、プラント４からの情報操作の終了通知を受諾する（図６のステップ３２１２）。次にセンタサーバ３２は、課金サービス管理サーバ１１にプラント４からの情報操作の終了を通知する（図７のステップ３２１３）。
【００３４】
次に課金サービス管理サーバ１１は、センタサーバ３２よりプラント４からの情報操作の終了通知（終了指示に相当）を受諾して、課金サービス情報の監視を終了し、料金を計算する（図７のステップ１２０２）。次にセンタサーバ３２は、エンドユーザ２にプラント４からの情報操作の終了を通知する（図７のステップ３２１４）。次にエンドユーザ２は、センタサーバ３２からのプラント４の情報操作の終了通知を受諾し、終了する（図７のステップ２２０６）。
【００３５】
上記のように構成された実施の形態２の課金サービス管理システムは、エンドユーザ２が、プラント４すべての情報のやりとりをセンタサーバ３２経由で行っているので、課金サービス管理サーバ１１は、このセンタサーバ３２からの情報により、課金対象であるエンドユーザ２とプラント４との情報のやり取りの管理および課金計算を行うことができる。よって、エンドユーザ２は、課金サービス管理サーバ１１に直接アクセスしなくとも、課金情報が管理される。尚、エンドユーザ２が課金情報を表示させたい場合には、上記実施の形態１と同様に行うことで、いつでも課金情報を扱うことができる。
【００３６】
実施の形態３．
図８はこの発明の実施の形態３に係る課金サービス管理システムの構成を示す図、図９ないし図１２は図８に示した課金サービス管理システムの動作を説明するためのフローチャートを示した図で、各図においては紙面上左側から、エンドユーザ２１、エンドユーザ２ｎ、課金サービス管理サーバ１１、センタ３、プラント４の動作を縦方向に区別して表示している。
【００３７】
図８において上記各実施の形態と同様の部分は同一符号を付して説明を省略する。上記各実施の形態では、エンドユーザが１台の場合について示したが、この実施の形態３では、複数のエンドユーザ（ｎ台：ｎは自然数）が存在する場合の課金サービス管理の例について示すものである。エンドユーザのｎ番目（ｎは自然数）を２ｎにて示す。１番目のエンドユーザは２１、ｎ番目のエンドユーザは２ｎとそれぞれなり、Ｗｅｂブラウザ等の機能を備えたＰＣ（パーソナルコンピュータ）を有する。プラント４と、センタ３と、エンドユーザ２１・・・エンドユーザ２ｎとは、広域ネットワーク５にそれぞれ接続されている。
【００３８】
次に上記のように構成された実施の形態３の課金サービス管理システムの動作について図１１ないし図１３を交えて説明する。まずエンドユーザ２１は、センタサーバ３２にプラント４の情報操作の許可を依頼する（図９のステップ２１３０１）。次にセンタサーバ３２は、プラント４の情報操作の許可依頼を受諾する（図９のステップ３３０１）。次にセンタサーバ３２は、プラント４にエンドユーザ２１からのプラント４の情報操作の許可を依頼する（図９のステップ３３０２）。
【００３９】
次にプラント４は、センタサーバ３２を経由したエンドユーザ２１からのプラント４の情報操作の許可依頼を受諾する（図９のステップ４３０１）。次にプラント４は、エンドユーザ２１からのプラント４の情報操作の許可をセンタサーバ３２に通知する（図９のステップ４３０２）。次にセンタサーバ３２は、プラント４からの情報操作の許可通知を受諾する（図９のステップ３３０３）。次にセンタサーバ３２は、課金サービス管理サーバ１１に、エンドユーザ２１からのプラント４の情報操作の許可を通知する（図９のステップ３３０４）。
【００４０】
次に課金サービス管理サーバ１１は、センタサーバ３２よりプラント４からのエンドユーザ２１に対する情報操作の許可通知（開始指示に相当）受諾して、課金サービス情報の監視を開始する（図９のステップ１３０１）。次にセンタサーバ３２は、プラント４からの情報操作の許可をエンドユーザ２１に通知する（図９のステップ３３０５）。次にエンドユーザ２１は、センタサーバ３２からの情報操作の許可通知を受諾する（図９のステップ２１３０２）。
【００４１】
次にエンドユーザ２ｎは、センタサーバ３２にプラント４の情報操作の許可を依頼する（図９のステップ２ｎ３０１）。次にセンタサーバ３２は、プラント４の情報操作の許可依頼を受諾する（図９のステップ３３０６）。次にセンタサーバ３２は、プラント４にエンドユーザ２ｎからのプラント４の情報操作の許可を依頼する（図９のステップ３３０７）。次にプラント４は、センタサーバ３２を経由したエンドユーザ２ｎからのプラント４の情報操作の許可依頼を受諾する（図９のステップ４３０３）。
【００４２】
次にプラント４は、エンドユーザ２ｎからのプラント４の情報操作の許可をセンタサーバ３２に通知する（図１０のステップ４３０４）。次にセンタサーバ３２は、プラント４からの情報操作の許可通知を受諾する（図１０のステップ３３０８）。次にセンタサーバ３２は、課金サービス管理サーバ１１に、エンドユーザ２ｎからのプラント４の情報操作の許可を通知する（図１０のステップ３３０９）。
【００４３】
次に課金サービス管理サーバ１１は、センタサーバ３２より、プラント４からのエンドユーザ２ｎに対する情報操作の許可通知（開始指示に相当）を受諾して、課金サービス情報の監視を開始する（図１０のステップ１３０２）。次にセンタサーバ３２は、プラント４からの情報操作の許可をエンドユーザ２ｎに通知する（図１０のステップ３３１０）。次にエンドユーザ２ｎは、センタサーバ３２からの情報操作の許可通知を受諾する（図１０のステップ２ｎ３０２）。
【００４４】
次にエンドユーザ２１は、センタサーバ３２にプラント４の情報操作を依頼する（図１０のステップ２１３０３）。次にエンドユーザ２ｎは、センタサーバ３２にプラント４の情報操作を依頼する（図１のステップ２ｎ３０３）。次にセンタサーバ３２は、エンドユーザ２１・・・エンドユーザ２ｎのプラント４の情報操作依頼を順次に受諾する（図１０のステップ３３１１）。次にセンタサーバ３２は、エンドユーザ２１・・・エンドユーザ２ｎのプラント４の情報操作依頼を順次にプラント４に依頼する（図１０のステップ３３１２）。
【００４５】
次にプラント４は、センタサーバ３２からの情報操作の依頼を順次に受諾する（図１０のステップ４３０５）。次にプラント４は、センタサーバ３２からの情報操作依頼を行い、情報操作の結果をセンタサーバ３２に順次に通知する（図１０のステップ４３０６）。次にセンタサーバ３２は、プラント４からの情報操作の結果通知を順次に受諾する（図１０のステップ３３１３）。
【００４６】
次にセンタサーバ３２は、エンドユーザ２１・・・エンドユーザ２ｎにプラント４からの情報操作の結果を順次に通知する（図１０のステップ３３１４）。次にエンドユーザ２ｎは、エンドユーザ２ｎが操作するプラント４の情報操作を継続するか否かを判断する（図１０のステップ２ｎ３０４）。そして、継続する場合（ＹＥＳ）には、図１０のステップ２ｎ３０３に戻り上記に示した動作を行う。また、プラント４の情報操作を終了する場合（ＮＯ）には、センタサーバ３２にプラント４の情報操作の終了を依頼する（図１１のステップ２ｎ３０５）。
【００４７】
次にセンタサーバ３２は、エンドユーザ２ｎからのプラント４の情報操作の終了依頼を受諾する（図１１のステップ３３１５）。次にセンタサーバ３２は、プラント４にエンドユーザ２ｎに対する情報操作の終了を依頼する（図１１のステップ３３１６）。次にプラント４は、センタサーバ３２からのエンドユーザ２ｎに対する情報操作の終了依頼を受諾する（図１１のステップ４３０７）。次にプラント４は、プラント４のエンドユーザ２ｎに対する情報操作の終了をセンタサーバ３２に通知する（図１１のステップ４３０８）。
【００４８】
次にセンタサーバ３２は、プラント４からのエンドユーザ２ｎの情報操作の終了通知を受諾する（図１１のステップ３３１７）。次にセンタサーバ３２は、課金サービス管理サーバ１１にプラント４からのエンドユーザ２ｎに対する情報操作の終了を通知する（図１１のステップ３３１８）。次に課金サービス管理サーバ１１は、センタサーバ３２よりプラント４からのエンドユーザ２ｎに対する情報操作の終了通知（終了指示に相当）を受諾して、エンドユーザ２ｎに対する課金サービス情報の監視を終了し、料金を計算する（図１１のステップ１３０３）。
【００４９】
次にセンタサーバ３２は、エンドユーザ２ｎにプラント４からの情報操作の終了を通知する（図１１のステップ３３１９）。次にエンドユーザ２ｎは、センタサーバ３２からのプラント４の情報操作の終了通知を受諾し、終了する（図１１のステップ２ｎ３０６）。次にエンドユーザ２１は、エンドユーザ２１が操作するプラント４の情報操作を継続するか否かを判断する（図１０のステップ２１３０４）。そして、継続すると判断する場合（ＹＥＳ）には、図１０のステップ２１３０３に戻り上記に示した動作を行う。
【００５０】
また、プラント４の情報操作を終了する場合（ＮＯ）には、センタサーバ３２にプラント４の情報操作の終了を依頼する（図１１のステップ２１３０５）。次にセンタサーバ３２はエンドユーザ２１からのプラント４の情報操作の終了依頼を受諾する（図１１のステップ３３２０）。次にセンタサーバ３２は、プラント４に情報操作の終了を依頼する（図１１のステップ３３２１）。次にプラント４は、センタサーバ３２からのエンドユーザ２１に対する情報操作の終了依頼を受諾する（図１１のステップ４３０９）。
【００５１】
次にプラント４は、プラント４のエンドユーザ２１に対する情報操作の終了をセンタサーバ３２に通知する（図１２のステップ４３１０）。次にセンタサーバ３２は、プラント４からのエンドユーザ２１の情報操作の終了通知を受諾する（図１２のステップ３３２２）。次にセンタサーバ３２は、課金サービス管理サーバ１１にプラント４からのエンドユーザ２１に対する情報操作の終了を通知する（図１２のステップ３３２３）。
【００５２】
次に課金サービス管理サーバ１１は、センタサーバ３２よりプラント４からのエンドユーザ２１に対する情報操作の終了通知（終了指示に相当）を受諾して、エンドユーザ２１に対する課金サービス情報の監視を終了し、料金を計算する（図１２のステップ１３０４）。次にセンタサーバ３２は、エンドユーザ２１にプラント４からの情報操作の終了を通知する（図１２のステップ３３２４）。次にエンドユーザ２１は、センタサーバ３２からのプラント４の情報操作の終了通知を受諾し、終了する（図１２のステップ２１３０６）。
【００５３】
上記のように構成された実施の形態３の課金サービス管理システムは、複数のエンドユーザ２１・・・２ｎが、プラント４すべての情報のやりとりをセンタサーバ３２経由で行っているので、課金サービス管理サーバ１１は、このセンタサーバ３２からの情報により、課金対象であるエンドユーザ２１・・・２ｎとプラント４との情報のやり取りの管理および課金計算を、エンドユーザ２１・・・２ｎ毎に行うことができる。よって、複数のエンドユーザ２１・・・２ｎは、課金サービス管理サーバ１１に直接アクセスしなくとも、課金情報が管理される。尚、エンドユーザ２１・・・２ｎが課金情報を表示させたい場合には、上記実施の形態１と同様に行うことで、いつでも課金情報を扱うことができる。
【００５４】
実施の形態４．
図１３はこの発明の実施の形態４に係る課金サービス管理システムの構成を示す図、図１４ないし図１７は図１３に示した課金サービス管理システムの動作を説明するためのフローチャートを示した図で、各図においては紙面上左側から、エンドユーザ２、課金サービス管理サーバ１１、センタ３、プラント４１、プラント４ｎの動作を縦方向に区別して表示している。
【００５５】
図１３において上記各実施の形態と同様の部分は同一符号を付して説明を省略する。上記各実施の形態では、プラントが１台の場合について示したが、この実施の形態４では、複数のプラント（ｎ台：ｎは自然数）が存在する場合について説明するものである。よってここではエンドユーザ２は複数のプラント（ｎ台：ｎは自然数）を保有するものとする。そして、課金サービス管理サーバ１１と、エンドユーザ２と、センタ３と、複数のプラント４１・・・４ｎとはインターネットなどの広域ネットワーク５にて接続されている。
【００５６】
また、各プラント４１・・・４ｎには、蓄積情報を保持する機能を有するプラントサーバ４１１・・・４ｎｌ（ｎはｎ番目のプラントを示す）と、リアルタイム情報を保持する機能を有するプラントコントローラ４１２・・・４ｎ２（ｎはｎ番目のプラントを示す）と、これらプラントサーバ４１１・・・４ｎ１とプラントコントローラ４１２・・・４ｎ２をプラント４１・・・４ｎ内でそれぞれ接続する機能を有するプラントネットワーク４１３・・・４ｎ３（ｎはｎ番目のプラントを示す）とをそれぞれ備える。
【００５７】
次に、上記のように構成された実施の形態３に係る課金サービス管理システムの動作について図１４ないし図１７を交えて説明する。まずエンドユーザ２は、センタサーバ３２にプラント４１・・・プラント４ｎの情報操作の許可を依頼する（図１４のステップ２４０１）。次にセンタサーバ３２は、プラント４１・・・プラント４ｎの情報操作の許可依頼を受諾する（図１４のステップ３４０１）。
【００５８】
次にセンタサーバ３２は、プラント４１・・・プラント４ｎにエンドユーザ２からのプラント４１・・・プラント４ｎの情報操作の許可を順次に依頼する（図１４のステップ３４０２）。次にプラント４１は、センタサーバ３２を経由したエンドユーザ２からのプラント４１の情報操作の許可依頼を受諾する（図１４のステップ４１４０１）。次にプラント４１は、エンドユーザ２からのプラント４１の情報操作の許可をセンタサーバ３２に通知する（図１４のステップ４１４０２）。
【００５９】
次にプラント４ｎは、センタサーバ３２を経由したエンドユーザ２からのプラント４ｎの情報操作の許可依頼を受諾する（図１４のステップ４ｎ４０１）。次にプラント４ｎは、エンドユーザ２からのプラント４ｎの情報操作の許可をセンタサーバ３２に通知する（図１４のステップ４ｎ４０２）。次にセンタサーバ３２は、プラント４１・・・プラント４ｎからの情報操作の許可通知を順次に受諾する（図１４のステップ３４０３）。
【００６０】
次にセンタサーバ３２は、課金サービス管理サーバ１１に、エンドユーザ２からのプラント４１・・・プラント４ｎの情報操作の許可を順次に通知する（図１４のステップ３４０４）。次に課金サービス管理サーバ１１は、センタサーバ３２より、プラント４１・・・プラント４ｎからのエンドユーザ２１に対する情報操作の許可通知（開始指示に相当）を順次に受諾して、課金サービス情報の監視を順次に開始する（図１４のステップ１４０１）。
【００６１】
次にセンタサーバ３２は、プラント４１・・・プラント４ｎからの情報操作の許可をエンドユーザ２に通知する（図１４のステップ３４０５）。次にエンドユーザ２は、センタサーバ３２からのプラント４１・・・４ｎの情報操作の許可通知を受諾する（図１４のステップ２４０２）。次にエンドユーザ２は、センタサーバ３２にプラント４１・・・プラント４ｎの情報操作を依頼する（図１５のステップ２４０３）。
【００６２】
次にセンタサーバ３２は、プラント４１・・・プラント４ｎの情報操作の許可依頼を受諾する（図１５のステップ３４０６）。次にセンタサーバ３２は、プラント４１・・・プラント４ｎにエンドユーザ２からのプラント４１・・・プラント４ｎの情報操作の許可を順次に依頼する（図１５のステップ３４０７）。次にプラント４１は、センタサーバ３２を経由したエンドユーザ２からのプラント４１の情報操作の許可依頼を受諾する（図１５のステップ４１４０３）。
【００６３】
次にプラント４１は、エンドユーザ２からのプラント４１の情報操作の許可をセンタサーバ３２に通知する（図１５のステップ４１４０４）。次にプラント４ｎは、センタサーバ３２を経由したエンドユーザ２からのプラント４ｎの情報操作の許可依頼を受諾する（図１５のステップ４ｎ４０３）。次にプラント４ｎは、エンドユーザ２からのプラント４ｎの情報操作の許可をセンタサーバ３２に通知する（図１５のステップ４ｎ４０４）。
【００６４】
次にセンタサーバ３２は、プラント４１・・・プラント４ｎからの情報操作の許可通知を順次に受諾する（図１５のステップ３４０８）。次にセンタサーバ３２は、エンドユーザ２にプラント４１〜プラント４ｎの情報操作の許可を通知する（図１５のステップ３４０９）。次にエンドユーザ２は、エンドユーザ２が操作するプラント４１・・・プラント４ｎの情報操作を継続するか否かを判断する（図１５のステップ２４０４）。
【００６５】
そして継続する場合（ＹＥＳ）には、図１５のステップ２４０３に戻り上記に示した動作を行う。また、プラント４１・・・プラント４ｎの情報操作を終了する場合（ＮＯ）には、センタサーバ３２にプラント４ｎの情報操作の終了を依頼する（図１６のステップ２４０５）。次にセンタサーバ３２は、エンドユーザ２からのプラント４ｎの情報操作の終了依頼を受諾する（図１６のステップ３４１０）。次に、センタサーバ３２はプラント４ｎに情報操作の終了を依頼する（図１６のステップ３４１１）。
【００６６】
次にプラント４ｎは、センタサーバ３２からのエンドユーザ２に対する情報操作の終了依頼を受諾する（図１６のステップ４ｎ４０５）。次にプラント４ｎは、プラント４ｎのエンドユーザ２に対する情報操作の終了をセンタサーバ３２に通知する（図１６のステップ４ｎ４０６）。次にセンタサーバ３２は、プラント４ｎからのエンドユーザ２の情報操作の終了通知を受諾する（図１６のステップ３４１２）。
【００６７】
次にセンタサーバ３２は、課金サービス管理サーバ１１にプラント４ｎからのエンドユーザ２に対する情報操作の終了を通知する（図１６のステップ３４１３）。次に課金サービス管理サーバ１１は、センタサーバ３２よりプラント４ｎの情報操作の終了通知（終了指示に相当）を受諾して、プラント４ｎの課金サービス情報の監視を終了し、料金を計算する（図１６のステップ１４０２）。
【００６８】
次にセンタサーバ３２は、エンドユーザ２にプラント４ｎからの情報操作の終了を通知する（図１６のステップ３４１４）。次にエンドユーザ２は、センタサーバ３２からのプラント４ｎの情報操作の終了通知を受諾する（図１６のステップ２４０６）。次にエンドユーザ２は、センタサーバ３２にプラント４１の情報操作の終了を依頼する（図１６のステップ２４０７）。次にセンタサーバ３２はエンドユーザ２からのプラント４１の情報操作の終了依頼を受諾する（図１６のステップ３４１５）。
【００６９】
次にセンタサーバ３２は、プラント４１にエンドユーザ２に対する情報操作の終了を依頼する（図１６のステップ３４１６）。次にプラント４１は、センタサーバ３２からのエンドユーザ２に対する情報操作の終了依頼を受諾する（図１６のステップ４１４０５）。次にプラント４１は、プラント４１のエンドユーザ２に対する情報操作の終了をセンタサーバ３２に通知する（図１７のステップ４１４０６）。次にセンタサーバ３２は、プラント４１からのエンドユーザ２の情報操作の終了通知を受諾する（図１７のステップ３４１７）。
【００７０】
次にセンタサーバ３２は、課金サービス管理サーバ１１にプラント４１からのエンドユーザ２に対する情報操作の終了を通知する（図１７のステップ３４１８）。次に課金サービス管理サーバ１１は、センタサーバ３２よりプラント４１の情報操作の終了通知（終了指示に相当）を受諾して、プラント４１の課金サービス情報の監視を終了し、料金を計算する（図１７のステップ１４０３）。次にセンタサーバ３２は、エンドユーザ２にプラント４１からの情報操作の終了を通知する（図１７のステップ３４１９）。次にエンドユーザ２は、センタサーバ３２からのプラント４１の情報操作の終了通知を受諾し、終了する（図１７のステップ２４０８）。
【００７１】
上記のように構成された実施の形態４の課金サービス管理システムは、エンドユーザ２が複数のプラントｎ台とのすべての情報のやりとりをセンタサーバ３２経由で行っているので、課金サービス管理サーバ１１は、このセンターサーバ３２からの情報により、課金対象であるエンドユーザ２と複数のプラントｎ台との情報のやり取りの管理および課金計算を、プラント４１・・・４ｎ毎に行うことができる。よって、エンドユーザ２は、課金サービス管理サーバ１１に直接アクセスしなくとも、課金情報が管理される。尚、エンドユーザ２が課金情報を表示させたい場合には、上記実施の形態１と同様に行うことで、いつでも課金情報を扱うことができる。
【００７２】
実施の形態５．
図１８ないし図３１はこの発明の実施の形態５に係る課金サービス管理システムの課金について示す図である。尚、この発明の実施の形態５に係る課金サービス管理システムの構成自体は、基本的に上記実施の形態１と同様であるため図示を省略する。
【００７３】
本課金サービス管理システムにおいては、すべての情報はセンタサーバ３２において管理されているが、このセンタサーバ３２が提供する情報（リモート保守および監視）およびエンドユーザ２から受付ける情報（リモート制御）に対しては、課金サービス管理サーバ１１がセンタサーバ３２よりエンドユーザ２とプラント４との全ての情報やり取り履歴を受け取り、その履歴よりサービスの料金を計算して徴収する。その際に必要な計算の具体例を示す。
【００７４】
まず、サービスの料金を計算するにあたって、以下の３つの課金パラメータを設定する。（１）接続時間、（２）情報量、（３）情報の種類である。これら３つの課金パラメータを独立変数として、料金は一般的に以下の内容を３つによって決まると考えられる。Ｙを料金、Ｘ１を接続時間、Ｘ２を情報量、Ｘ３を情報の種類、ｆを変数とすると、Ｙ＝ｆ（Ｘ１，Ｘ２，Ｘ３）と表すことができる。
【００７５】
まず、接続時間に対しての料金を考え、他の要素は一意に決まっているとする。すなわち、Ｙ＝ｆ（Ｘ１）と表せる。例えば、接続時間と料金との関係は、図１８ないし図２３に示すものが想定される。図１８ないし図２３に関して、簡単に説明する。図１８は、接続時間と料金（円）との関係が、一次関数（傾き負、切片正）の場合である。図１９は、接続時間と料金（円）との関係が、一定の場合である。図２０は、接続時間と料金（円）との関係が、接続時間に対して一次微分が負のある値から徐々にゼロに近づく、もしくは最終的に一次微分はゼロの場合である。
【００７６】
図２１は、接続時間と料金（円）との関係が、接続時間に対して初期は一次関数（傾き負、切片正）、その後一定の場合である。図２２は、接続時間と料金（円）との関係が、一次関数（傾き負）の連続的な集合で、接続時間に対して、徐々に傾きが大きくなる場合である。図２３は、接続時間と料金（円）との関係が、接続時間に対して階段状に減少する場合である。
【００７７】
次に、情報量に対しての料金を考える。他の要素は一意に決まっているとする。すなわち、Ｙ＝ｆ（Ｘ２）と表せる。例えば、情報量に対する料金の関係は、距離と同様に、図２４ないし図２９に示すものが想定される。図２４ないし図２９に関して、簡単に説明する。図２４は、情報量と料金（円）との関係が、一次関数（傾き正、切片正）の場合である。図２５は、情報量と料金（円）との関係が、一定の場合である。
【００７８】
図２６は、情報量と料金（円）との関係が、情報量に対して一次微分が正のある値から徐々にゼロに近づく、もしくは最終的に一次微分がゼロの場合である。図２７は、情報量と料金（円）との関係が、情報量に対して初期は一次関数（傾き正、切片正）、その後一定の場合である。図２８は、情報量と料金（円）との関係が、一次関数（傾き正）の連続的な集合で、情報量に対して、徐々に傾きが小さくなる場合である。図２９は、情報量と料金（円）との関係が、情報量に対して階段状に増加する場合である。
【００７９】
次に、情報の種類に対しての料金を考える。他の要素は一意に決まっているとする。情報の種類に対する料金の関係は、図３０のテーブルのように想定し、それらサービス（情報種別）の組み合わせにより料金を徴収する。そして情報の種類の例を図３１に示す。また、この他にＣＴＩ機能、アセットマネジメント機能、データ解析支援機能、訓練用シミュレーション機能などがある。また、ある課金パラメータ以外の値を一意として説明したが、これに限られることはなく上記の要素の相互関係によって料金が設定できることは言うまでもない。
【００８０】
また、それぞれの課金パラメータは、それぞれ独立である例を示したが、情報の種類や得られる情報量、プラント１とセンタ３と間の接続時間等によって決定されている場合も考えられる。また、それぞれの課金パラメータによって料金を徴収する上で、ユーザの契約形態として、ユーザがどの課金体系を選択するかによって課金する方法も考えられる。
【００８１】
実施の形態６．
図３２ないし図３７はこの発明の実施の形態６に係る課金サービス管理システムの課金について示す図である。なお、この発明の実施の形態６に係る課金サービス管理システムの構成は、基本的に上記実施の形態２と同様である。上記実施の形態５においては、１エンドユーザが１プラントを扱う場合であったのに対して、この実施の形態６においては、複数のエンドユーザが１プラントを扱う際に、その料金計算してサービスの料金を徴収する。
【００８２】
以下にその際の具体例を示す。上記実施の形態５に示しように、１エンドユーザが１プラントを扱う場合は、Ｙ＝ｆ（Ｘ１，Ｘ２，Ｘ３）を、Ｙ１エンドユーザ当り＝ｆ（Ｘ１，Ｘ２，Ｘ３）と表せる。また、複数のエンドユーザのことをユーザ総数として、料金計算を行うパラメータとして設定する。そのユーザ総数のパラメータをＵと表す。このことから、複数のエンドユーザが１プラントを扱う場合の料金が計算でき、サービス料金の総額は、以下のようになる。
【００８３】
Ｙ総額＝Ｙ１エンドユーザ当り×Ｕまたユーザ数に対しての料金を考える。ユーザ数が増えることに対して、Ｙ１エンドユーザ当りが変動する。例えば、ユーザ数に対するＹ１エンドユーザ当りの料金変動との関係は、図３２ないし図３７に示すとおり想定する。図３２ないし図３７に関して、簡単に説明する。図３２は、ユーザ数と１エンドユーザに対する料金（円）との関係が、一次関数（傾き負、切片正）の場合である。図３３は、ユーザ数と１エンドユーザに対する料金（円）との関係が、一定の場合である。図３４は、ユーザ数と１エンドユーザに対する料金（円）との関係が、ユーザ数に対して一次微分が負のある値から徐々にゼロに近づく、もしくは最終的に一次微分はゼロの場合である。図３５は、ユーザ数と１エンドユーザに対する料金（円）との関係が、ユーザ数に対して初期は一次関数（傾き負、切片正）、その後一定の場合である。図３６は、ユーザ数と１エンドユーザに対する料金（円）との関係が、一次関数（傾き負）の連続的な集合で、ユーザ数に対して、徐々に傾きが大きくなる場合である。図３７は、ユーザ数と１エンドユーザに対する料金（円）との関係が、ユーザ数に対して階段状に減少する場合である。
【００８４】
課金パラメータ以外の値を一意として説明したが、これに限られることはなく上記の要素の相互関係によって料金が設定できることは言うまでもない。それによってエンドユーザは、サービスに対する明確な料金を徴収されることが出来る。また、それぞれの課金パラメータによって料金を徴収する上で、ユーザの契約形態として、ユーザがどの課金体系を選択するかによって課金する方法もある。
【００８５】
実施の形態７．
図３８ないし図４３はこの発明の実施の形態７に係る課金サービス管理システムの課金について示す図である。なお、この発明の実施の形態７に係る課金サービス管理システムの構成は、基本的に上記実施の形態３と同様である。上記実施の形態５においては、１エンドユーザが１プラントを扱う場合であったのに対して、この実施の形態７においては、１エンドユーザが複数のプラントを扱う際に、その料金計算してサービスの料金を徴収する。
【００８６】
以下にその際の具体例を示す。上記実施の形態５に示したように、１エンドユーザが１プラントを扱う場合は、Ｙ＝ｆ（Ｘ１，Ｘ２，Ｘ３）であったので、Ｙ１エンドユーザ当り＝ｆ（Ｘ１，Ｘ２，Ｘ３）と表せる。また、複数のプラントのことをプラント総数として、料金計算を行うパラメータとして設定する。そのプラント総数のパラメータをＰと表す。このことから、１エンドユーザが複数のプラントを扱う場合の料金が計算でき、サービス料金の総額は、以下のようになる。
【００８７】
Ｙ総額＝Ｙ１エンドユーザ当り×Ｐまたプラント数に対しての料金を考える。プラント数が増えることに対して、Ｙ１エンドユーザ当りが変動する。例えば、ユーザ数に対するＹ１エンドユーザ当りの料金変動との関係は、図３８ないし図４３に示すとおり想定する。図３８ないし図４３に関して、簡単に説明する。図３８は、プラント数と１プラント数に対する料金（円）との関係が、一次関数（傾き負、切片正）の場合である。図３９は、プラント数と１プラント数に対する料金（円）との関係が、一定の場合である。
【００８８】
図４０は、プラント数と１プラント数に対する料金（円）との関係が、プラント数に対して一次微分が負のある値から徐々にゼロに近づく、もしくは最終的に一次微分はゼロの場合である。図４１は、プラント数と１プラント数に対する料金（円）との関係が、ユーザ数に対して初期は一次関数（傾き負、切片正）、その後一定の場合である。図４２は、プラント数と１プラント数に対する料金（円）との関係が、一次関数（傾き負）の連続的な集合で、ユーザ数に対して、徐々に傾きが大きくなる場合である。図４３は、プラント数と１プラント数に対する料金（円）との関係が、プラント数に対して階段状に減少する場合である。
【００８９】
ある課金パラメータ以外の値を一意として説明したが、これに限られることはなく相互関係によって料金が設定できることは言うまでもない。それによってエンドユーザは、サービスに対する明確な料金を徴収されることが出来る。また、それぞれの課金パラメータによって料金を徴収する上で、ユーザの契約形態として、ユーザがどの課金体系を選択するかによって課金する方法もある。
【００９０】
【発明の効果】
以上のようにこの発明によれば、プラント部と、プラント部の情報を得るために要求を行う操作部と、操作部が得た情報に対する課金計算を行う課金部と、操作部がプラント部から情報を得ることの認証を行い課金部に登録するセンタ部とがネットワークにて接続されているので、操作部がプラント部から情報を得ることの認証を容易に確保することができる課金サービス管理システムを提供することができる。
【図面の簡単な説明】
【図１】この実施の形態１に係る課金サービス管理システムの構成を示す図である。
【図２】図１に示した課金サービス管理システムの動作を示すフローチャートを示す図である。
【図３】図１に示した課金サービス管理システムの動作を示すフローチャートを示す図である。
【図４】この発明の実施の形態２に係る課金サービス管理システムの構成を示す図である。
【図５】図４に示した課金サービス管理システムの動作を示すフローチャートを示す図である。
【図６】図４に示した課金サービス管理システムの動作を示すフローチャートを示す図である。
【図７】図４に示した課金サービス管理システムの動作を示すフローチャートを示す図である。
【図８】この発明の実施の形態３に係る課金サービス管理システムの構成を示す図である。
【図９】図８に示した課金サービス管理システムの動作を示すフローチャートを示す図である。
【図１０】図８に示した課金サービス管理システムの動作を示すフローチャートを示す図である。
【図１１】図８に示した課金サービス管理システムの動作を示すフローチャートを示す図である。
【図１２】図８に示した課金サービス管理システムの動作を示すフローチャートを示す図である。
【図１３】この発明の実施の形態４に係る課金サービス管理システムの構成を示す図である。
【図１４】図１３に示した課金サービス管理システムの動作を示すフローチャートを示す図である。
【図１５】図１３に示した課金サービス管理システムの動作を示すフローチャートを示す図である。
【図１６】図１３に示した課金サービス管理システムの動作を示すフローチャートを示す図である。
【図１７】図１３に示した課金サービス管理システムの動作を示すフローチャートを示す図である。
【図１８】この発明の実施の形態５に係る課金サービス管理システムの接続時間と料金（円）との関係を示す図である。
【図１９】この発明の実施の形態５に係る課金サービス管理システムの接続時間と料金（円）との関係を示す図である。
【図２０】この発明の実施の形態５に係る課金サービス管理システムの接続時間と料金（円）との関係を示す図である。
【図２１】この発明の実施の形態５に係る課金サービス管理システムの接続時間と料金（円）との関係を示す図である。
【図２２】この発明の実施の形態５に係る課金サービス管理システムの接続時間と料金（円）との関係を示す図である。
【図２３】この発明の実施の形態５に係る課金サービス管理システムの接続時間と料金（円）との関係を示す図である。
【図２４】この発明の実施の形態５に係る課金サービス管理システムの情報量と料金（円）との関係を示す図である。
【図２５】この発明の実施の形態５に係る課金サービス管理システムの情報量と料金（円）との関係を示す図である。
【図２６】この発明の実施の形態５に係る課金サービス管理システムの情報量と料金（円）との関係を示す図である。
【図２７】この発明の実施の形態５に係る課金サービス管理システムの情報量と料金（円）との関係を示す図である。
【図２８】この発明の実施の形態５に係る課金サービス管理システムの情報量と料金（円）との関係を示す図である。
【図２９】この発明の実施の形態５に係る課金サービス管理システムの情報量と料金（円）との関係を示す図である。
【図３０】この発明の実施の形態５に係る課金サービス管理システムの情報の種類と料金（円）との関係を示す図である。
【図３１】この発明の実施の形態５に係る課金サービス管理システムの情報の種類の具体例を示す図である。
【図３２】この発明の実施の形態６に係る課金サービス管理システムのユーザ数と１エンドユーザに対する料金（円）との関係を示す図である。
【図３３】この発明の実施の形態６に係る課金サービス管理システムのユーザ数と１エンドユーザに対する料金（円）との関係を示す図である。
【図３４】この発明の実施の形態６に係る課金サービス管理システムのユーザ数と１エンドユーザに対する料金（円）との関係を示す図である。
【図３５】この発明の実施の形態６に係る課金サービス管理システムのユーザ数と１エンドユーザに対する料金（円）との関係を示す図である。
【図３６】この発明の実施の形態６に係る課金サービス管理システムのユーザ数と１エンドユーザに対する料金（円）との関係を示す図である。
【図３７】この発明の実施の形態６に係る課金サービス管理システムのユーザ数と１エンドユーザに対する料金（円）との関係を示す図である。
【図３８】この発明の実施の形態７に係る課金サービス管理システムのプラント数と１プラント数に対する料金（円）との関係を示す図である。
【図３９】この発明の実施の形態７に係る課金サービス管理システムのプラント数と１プラント数に対する料金（円）との関係を示す図である。
【図４０】この発明の実施の形態７に係る課金サービス管理システムのプラント数と１プラント数に対する料金（円）との関係を示す図である。
【図４１】この発明の実施の形態７に係る課金サービス管理システムのプラント数と１プラント数に対する料金（円）との関係を示す図である。
【図４２】この発明の実施の形態７に係る課金サービス管理システムのプラント数と１プラント数に対する料金（円）との関係を示す図である。
【図４３】この発明の実施の形態７に係る課金サービス管理システムのプラント数と１プラント数に対する料金（円）との関係を示す図である。
【符号の説明】
２  エンドユーザ、３  センタ、４  プラント、５  広域ネットワーク、
１１  課金サービス管理システム、１２  課金情報蓄積データベース、
３１  センタデータベース、３２  センタサーバ、４１  プラントサーバ、
４２  プラントコントローラ、４３  プラントネットワーク。
【図１】
2004348304.tif 000003
【図２】
2004348304.tif 000004
【図３】
2004348304.tif 000005
【図４】
2004348304.tif 000006
【図５】
2004348304.tif 000007
【図６】
2004348304.tif 000008
【図７】
2004348304.tif 000009
【図８】
2004348304.tif 000010
【図９】
2004348304.tif 000011
【図１０】
2004348304.tif 000012
【図１１】
2004348304.tif 000013
【図１２】
2004348304.tif 000014
【図１３】
2004348304.tif 000015
【図１４】
2004348304.tif 000016
【図１５】
2004348304.tif 000017
【図１６】
2004348304.tif 000018
【図１７】
2004348304.tif 000019
【図１８】
2004348304.tif 000020
【図１９】
2004348304.tif 000021
【図２０】
2004348304.tif 000022
【図２１】
2004348304.tif 000023
【図２２】
2004348304.tif 000024
【図２３】
2004348304.tif 000025
【図２４】
2004348304.tif 000026
【図２５】
2004348304.tif 000027
【図２６】
2004348304.tif 000028
【図２７】
2004348304.tif 000029
【図２８】
2004348304.tif 000030
【図２９】
2004348304.tif 000031
【図３０】
2004348304.tif 000032
【図３１】
2004348304.tif 000033
【図３２】
2004348304.tif 000034
【図３３】
2004348304.tif 000035
【図３４】
2004348304.tif 000036
【図３５】
2004348304.tif 000037
【図３６】
2004348304.tif 000038
【図３７】
2004348304.tif 000039
【図３８】
2004348304.tif 000040
【図３９】
2004348304.tif 000041
【図４０】
2004348304.tif 000042
【図４１】
2004348304.tif 000043
【図４２】
2004348304.tif 000044
【図４３】
2004348304.tif 000045